(57)【要約】【課題】第１の部材に対して第２の部材が重なり合った状態と、水平方向へ移動させた状態を作り出すことができるように両者を連結して成る携帯端末において、第２の部材を第１の部材に対して水平方向へ移動させた後に、さらに第２の部材の側面や裏面を正面に向けることができるように回転可能とした携帯端末機を提供する。【解決手段】キーボード操作部を有する第１の部材と、この第１の部材に対し水平方向へ移動可能と成した取付部材を介して前記第１の部材に対し共に水平方向へ移動可能に取り付けたディスプレイ部を有する第２の部材とから成り、この第２の部材を前記取付部材に対し回転可能に取り付けることにより前記取付部材を前記第１の部材に対し水平方向へ移動させた状態において前記第２の部材の側面或は裏面を正面に向けることができるように構成する。【選択図】          図３
2004328279.tif 000002
【特許請求の範囲】
【請求項１】
キーボード操作部を有する第１の部材と、この第１の部材に対し水平方向へ移動可能と成した取付部材を介して前記第１の部材に対し共に水平方向へ移動可能に取り付けたディスプレイ部を有する第２の部材とから成り、この第２の部材を前記取付部材に対し回転可能に取り付けることにより前記取付部材を前記第１の部材に対し水平方向へ移動させた状態において前記第２の部材の側面或は裏面を正面に向けることができるように構成したこと特徴とする、携帯端末機。
【請求項２】
前記取付部材が前記第１の部材に対し、一方向へスライド可能に取り付けられていることを特徴とする、請求項１に記載の携帯端末機。
【請求項３】
前記取付部材が前記第１の部材に対し、水平方向へ回転可能に取り付けられていることを特徴とする、請求項１に記載の携帯端末機。
【請求項４】
前記第２の部材には、表面にディスプレイ部が設けられた上で、その側面及び又は裏面にカメラが設置されていることを特徴とする、請求項１乃至３のいずれかに記載の携帯端末機。
【発明の詳細な説明】
【０００１】
【発明の属する技術分野】
この発明は携帯電話機やポケットコンピュータに用いて好適な携帯端末機に関する。
【０００２】
【従来の技術】
携帯電話機のような携帯端末機においては、キーボード操作部やマイク部を設けた第１の部材と、ディスプレイ部とスピーカー部を設けた第２の部材とを別々の筐体に設け、この筐体同士をヒンジ装置を介して相対的に開閉可能に連結したり、筐体同士を相対的に一方向にスライド可能に連結したものが知られており、そのようなものとして、次の公知文献に示されたものが公知である。
【０００３】
【特許文献１】特開２００３−４６６２５号公開特許公報
【特許文献２】特開２００３−６５３２１号公開特許公報
【０００４】
このうち公知文献１に示されたものは、キーボード操作部を有する第１の部材と、ディスプレイ部を有する第２の部材が、互いの端部をヒンジ装置を介して開閉可能に連結したものであり、公知文献２に示されたものは、キーボード操作部を有する第１の部材と、ディスプレイ部を有する第２の部材が、スライド機構を介して互いに同方向へスライド可能に連結されているものであった。
【０００５】
【発明が解決しようとする課題】
上記いずれの公知文献のものも、第２の部材が展開位置或はスライド位置で姿勢を変えることができるように構成されていないため、例えば第２の部材の側面や裏面にカメラを設置したような場合に、第１の部材をそのままで、このカメラを正面に向けることができないため、操作性が悪いという問題があった。
【０００６】
さらに、とくに公知文献２に示されたものは、ディスプレイ部が常に外部へ露出するために、画面が傷付きやすいという問題もあった。
【０００７】
この発明の目的は、第１の部材に対して第２の部材が重なり合った状態と、水平方向へ移動させた状態を作り出すことができるように両者を連結して成る携帯端末において、第２の部材を第１の部材に対して水平方向へ移動させた後に、さらに第２の部材の側面や裏面を正面に向けることができるように回転可能とした携帯端末機を提供せんとするにある。
【０００８】
【課題を解決するための手段】
上述した目的を達成するためにこの発明は、キーボード操作部を有する第１の部材と、この第１の部材に対し水平方向へ移動可能と成した取付部材を介して前記第１の部材に対して共に水平方向へ移動可能に取り付けたディスプレイ部を有する第２の部材とから成り、この第２の部材を前記取付部材に対し回転可能に取り付けることにより前記取付部材を前記第１の部材に対し水平方向へ移動させた状態において前記第２の部材の側面或は裏面を正面に向けることができるように構成したこと特徴とする。
【０００９】
その際にこの発明は、前記取付部材を前記第１の部材に対し、一方向へスライド可能に取り付けたり、前記取付部材を前記第１の部材に対し、水平方向へ回転可能に取り付けるものである。
【００１０】
この発明はまた、前記第２の部材には、その表面にディスプレイ部が設けられた上で、その側面及び又は裏面にカメラを設置するものである。
【００１１】
【発明の実施の形態】
以下にこの発明を携帯電話機に実施した場合について説明するが、ポケットコンピュータ、その他の携帯端末に実施することができるものである。図１乃至図９において、指示記号１で示したものは、キーボード操作部１ａとマイク部１ｂとアンテナ１ｃを備えた第１の部材であり、指示記号２で示したものは、その表面側にディスプレイ部２ａとスピーカー部２ｂを、裏面側に例えばＣＣＤカメラのようなカメラ部２ｃを備えた第２の部材である。尚、カメラ部２ｃは、側面に設けても良い。第２の部材２は、取付部材３を介して第１の部材１に対し一方向へスライド可能に取り付けられると共に、この第２の部材２は取付部材３に対し後述する回転手段を介して回転可能に取り付けられている。
【００１２】
取付部材３を第１の部材１へスライド可能に取り付けるスライド機構４の構成は、例えば図４と図５に示したように、第１の部材１を構成する筐体の両側部長手方向にガイド溝５ａ，５ａを設け、このガイド溝５ａ，５ａへ断面略Ｃチャンネル状に形成した取付部材３の湾曲部３ａ，３ａを嵌入させることによって、取付部材３と第１の部材１が分離してしまわないように構成すると共に、取付部材３の側に取り付けた押圧手段６を介してガタのないしっくりとしたスライド動作を行わせるようにしたものである。
【００１３】
この押圧手段６は、とくに図６に示したように、取付部材３に設けた収装穴３ｂに挿入固定したヒンジケース７の一端に、ボールベアリング８を回転可能かつ外側へ抜け出ないように取り付けてあり、このボールベアリング８は収装穴３ｂより突出し、第１の部材１の上面に圧接している。尚、第１の部材１の上面にボールベアリング８を案内するガイド溝を設けても良い。さらにこの押圧手段６を取り付ける位置は、図面のものに限定されない。
【００１４】
ボールベアリング８は、ヒンジケース７内に摺動可能に収装させた受座部９によって支承されており、この受座部９とヒンジケース７の後部に取り付けたストッパー部材１０との間に弾設したコンプレッションスプリング１１により、受座部９ごとヒンジケース７の外側へ突出する方向へ附勢されている。尚、このボールベアリング８は、ピンその他のものに代えても良い。
【００１５】
次に、第２の部材２を取付部材３へ回転可能に取り付ける回転手段１２は、例えば図７に示した如き構造のものであり、フランジ部１３ｂと変形取付部１３ｃと小径部１３ｄと変形部１３ｅと雄ネジ部１３ｆとから成り、中心部軸方向に挿通孔１３ａを設けた中空のシャフト１３と、このシャフト１３の変形取付部１３ｂを第２の部材２の筐体側に設けた変形取付孔２ｅへ挿通係合させると共に、シャフト１３をその中心部軸方向に設けた挿通孔１４ａへ挿通させつつ第１の部材２と取付部材３の間に介在させたワッシャー１４と、シャフト１３の小径部１３ｄを取付部材３の側に設けた取付孔３ｃへ挿通させると共に、同じく小径部１３ｄをその中心部軸方向に設けた挿通孔１５ａ，１６ａへ挿通させつつ設けた第１フリクションワッシャー１５及び第２フリクションワッシャー１６と、その中心部軸方向に設けた変形挿通孔１７ａへシャフト１３の変形部１３ｅを挿通係合させつつ設けた平ワッシャー１７と、さらに、雄ネジ部１３ｆに捻子着させて設けた締付ナット１８とから成るものである。尚、第１フリクションワッシャー１５は係止片１５ｂを取付部材３側に設けた係止溝３ｅに係止させることによって、第２の部材２に回転を拘束されており、第２フリクションワッシャー１６は、平ワッシャー１７の方に設けた係止溝１７ｂに係止片１６ｂを係合させてシャフト１３に回転を拘束されている。そして、シャフト１３の挿通孔１３ａ内には、第１の部材１と第２の部材２を電気的に或は光学的に接続する導線１９が挿通されている。
【００１６】
したがって、携帯電話機の未使用時には、図１に示したように、取付部材３は第１の部材１の上面手前側に位置し、第２の部材２は第１の部材１の上面に重ね合わされている。
【００１７】
この状態から第１の部材１を片手に持って、当該片手の親指か或はもう一方の手で取付部材３を押してやると、該取付部材３がスライド機構４を介して前方へスライドし、第１の部材１のキーボード操作部１ａとマイク部１ｂが露出して図２に示したようになり、使用待機状態となる。
【００１８】
この図２に示した状態から第２の部材２を取付部材３に対して捻ると、回転手段１２を介して第２の部材２が取付部材３に対して回転し、図３に示したように第２の部材２は９０°回転し、或は図８に示したように１８０°回転することが可能となる。
【００１９】
この第２の部材２の取付部材３に対する回転は、９０°でクリック停止させることができ、１８０°でストッパー手段で停止させるものであるが、このクリック停止手段やストッパー手段は、回転手段１２に設けた公知手段を用いることができる上に、とくに、ストッパー手段は、第２の部材２と取付部材３との各々の連結端側に凸部を形成させることによって構成しても良い。
【００２０】
回転操作は、とくに、シャフト１３の挿通孔１３ａの中に導線１９を通している場合には、同一方向へ回転させて行くのではなく、１８０°回転させたら逆方向へ回転させて元位置に戻すように構成することが望ましい。
【００２１】
第２の部材２の側面にもカメラを取り付けた場合には、図３に示したように、第２の部材２を取付部材１３に対し９０°回転させた時に、カメラを正面に向けることができ、カメラを第２の部材２の裏面に取り付けた場合には、図８に示したように、第２の部材２を取付部材３に対し１８０°回転させた時に、カメラ２ｃを正面に向けることができる。
【００２２】
また、第２の部材２を取付部材３に対し１８０°回転させた図８の状態から、取付部材３を第１の部材２対し手前側へスライドさせて図９に示したように元位置に戻すことができる。この場合には、ディスプレイ部２ａで表面側へ露出してないので、その表面を保護することができよう。
【００２３】
図１０乃至図１６は他の実施の形態を示し、第１の部材２０がキーボード操作部２０ａとマイク部２０ｂを有し、第２の部材２１がディスプレイ部２１ａとスピーカー部２１ｂを有していること、及びこの第２の部材が取付部材２２を介して第２の部材に取り付けられており、第２の部材２１が取付部材２２に対し回転可能に取り付けられている点は、先の実施の形態のものと同じである。
【００２４】
しかしながら、取付部材２２が第１の部材２０に対し、水平方向へ回転可能に取り付けられている点で、先の実施の形態のものと異なっている。
【００２５】
取付部材２２を第１の部材２０に対し、及び第２の部材２１を取付部材２２に対し共に回転可能に構成する回転手段は、先の実施の形態のものを用いることができる。また、上述したスライド機構と回転手段は、一例であってこのものに限定されず、その他のさまざまな公知構成のものに代えることができる。
【００２６】
この第２の実施の形態においては、携帯電話機の未使用時には、図１０に示したように、取付部材２２は第１の部材２０の上面先端側に位置し、第２の部材２１は第１の部材２０の上面に重ね合わされている。
【００２７】
この状態から第１の部材２０を片手に持って、当該片手の側の親指か、或はもう一方の手を添えて第２の部材２１を左側へ押してやると、取付部材２２が図示してない回転手段を介して右方向へ水平回転し、第１の部材２０のキーボード操作部２０ａとマイク部２０ｂが露出して図１１から図１２に示したように第２の部材２１が第１の部材２０に対し９０°或は１８０°回転した状態となり、使用待機となる。
【００２８】
この状態から、第２の部材２１を取付部材２２に対して捻ると、図示してない回転手段を介して第２の部材２１が取付部材２２に対して回転し、図１３に示したように９０°回転し、或は図１４に示したように１８０°回転することが可能となる。
【００２９】
この第２の部材２１の取付部材２２に対する回転は、９０°でクリック停止させることができ、１８０°でストッパー手段で停止させるものであるが、このクリック停止手段やストッパー手段は、回転手段に設けた公知の手段を用いることができる上に、ストッパー手段は、第２の部材２１と取付部材２２との各々の連結端側に凸部を形成させることによって構成しても良い。
【００３０】
回転操作は、図６に示したように、シャフト１３の挿通孔１３ａの中に導線１９を通している場合には、同一方向へ回転させて行くのではなく、１８０°回転させたら逆方向へ回転させて元位置に戻すように構成することが望ましい。
【００３１】
第２の部材２１の側面にもカメラを取り付けた場合には、図１３に示したように、第２の部材２１を取付部材２２に対し９０°回転させた時に、カメラを正面に向けることができ、カメラを第２の部材２１の裏面に取り付けた場合には、図１４に示したように、第２の部材２１を取付部材２２に対し１８０°回転させた時に、カメラ２１ｃを正面に向けることができる。
【００３２】
また、第２の部材２１を取付部材２２に対し１８０°回転させた図１３の状態から、取付部材２２を第１の部材２０に対し逆方向へ回転させて図１５から図１６に示したように、元位置に戻すことができる。
【００３３】
【発明の効果】
この発明は以上のように構成したので次のような効果を奏し得る。
【００３４】
この発明に係る携帯端末機は、その携帯性を向上できた上で、第１の部材の重量を第２の部材の重量より重くして、操作性を良くすることができ、さらに、第２の部材の裏面或は側面に設置したカメラをキーボード部の操作位置の正面に向けることができるという効果を奏し得る。また、第２の部材に設けたディスプレイ部を不使用時に表面側へ露出しないようにすることもできるので、ディスプレイ部が傷付くことを可及的に防止することができるという効果を奏し得る。
【図面の簡単な説明】
【図１】この発明に係る携帯端末機を概略的に示す斜視図である。
【図２】図１に示した携帯端末機の動作を説明する斜視図である。
【図３】同じく図１に示した携帯端末機の動作を説明する斜視図である。
【図４】取付部材のスライド機構の部分を説明する拡大縦断面図である。
【図５】取付部材のスライド機構の部分を説明する右側面図である。
【図６】取付部材のスライド機構の押圧手段の構造を説明する拡大断面図である。
【図７】第２の部材の回転手段の構造を説明する拡大断面図である。
【図８】図１に示した携帯端末機の動作を説明する斜視図である。
【図９】同じく図１に示した携帯端末機の動作を説明する斜視図である。
【図１０】この発明に係る携帯端末機の他の実施の形態を概略的に示す斜視図である。
【図１１】図１０に示した携帯端末機の動作を説明する斜視図である。
【図１２】図１０に示した携帯端末機の動作を説明する斜視図である。
【図１３】図１０に示した携帯端末機の動作を説明する斜視図である。
【図１４】図１０に示した携帯端末機の動作を説明する斜視図である。
【図１５】図１０に示した携帯端末機の動作を説明する斜視図である。
【図１６】図１０に示した携帯端末機の動作を説明する斜視図である。
【符号の説明】
１，２０  第１の部材
１ａ，２０ａ  キーボード操作部
１ｂ，２０ｂ  マイク部
１ｃ  アンテナ
２，２１  第２の部材
２ａ，２１ａ  ディスプレイ部
２ｂ，２１ｂ  スピーカー部
２ｃ，２１ｃ  カメラ
２ｅ  変形取付孔
３，２２  取付部材
３ａ  湾曲部
３ｂ  収装穴
３ｃ  取付孔
３ｅ  係止溝
４  スライド機構
５ａ  ガイド溝
６  押圧手段
７  ヒンジケース
８  ボールベアリング
９  受座部
１０  ストッパー手段
１１  コンプレッションスプリング
１２  回転手段
１３  シャフト
１３ａ  挿通孔
１３ｂ  フランジ部
１３ｃ  変形取付部
１３ｄ  小径部
１３ｅ  変形部
１３ｆ  雄ネジ部
１４  ワッシャー
１４ａ  挿通孔
１５  第１フリクションワッシャー
１５ａ  挿通孔
１５ｂ  係止片
１６  第２フリクションワッシャー
１６ａ  挿通孔
１６ｂ  係止片
１７  平ワッシャー
１７ａ  変形挿通孔
１７ｂ  係止溝
１８  締付ナット
１９  導線
【図１】
2004328279.tif 000003
【図２】
2004328279.tif 000004
【図３】
2004328279.tif 000005
【図４】
2004328279.tif 000006
【図５】
2004328279.tif 000007
【図６】
2004328279.tif 000008
【図７】
2004328279.tif 000009
【図８】
2004328279.tif 000010
【図９】
2004328279.tif 000011
【図１０】
2004328279.tif 000012
【図１１】
2004328279.tif 000013
【図１２】
2004328279.tif 000014
【図１３】
2004328279.tif 000015
【図１４】
2004328279.tif 000016
【図１５】
2004328279.tif 000017
【図１６】
2004328279.tif 000018